(57)【要約】【課題】足マッサージ機を提供する。【解決手段】本発明は足マッサージ機に関わるもので、それは機械本体に一つの伝動構造及び少なくとも一つのマッサージユニットを設けることで、その伝動構造の一端をマッサージユニットと組立てて固定する。又、その伝動構造を運転する時、そのマッサージユニットを連動して予定のマッサージ動作を行うことで、使用者の足部分の腱、筋肉、脈及び足裏の反射穴に運動、マッサージの効果を達することができる。【選択図】図２
2007275420.tif 000002
【特許請求の範囲】
【請求項１】
足マッサージ機において、一つの機械本体、及び一つの機械本体の下方に設けてある伝動構造、及び一つの機械本体の前方にピボットして設けてあるマッサージユニットを含み、更に、その伝動構造の一端をマッサージユニットと組立て固定し、又、その伝動構造を運転する時、そのマッサージユニットを連動して、予定の角度に振れる動作を行うことで、使用者が座る姿、横になる姿で両足を平で機械本体の上方に置く事ができ、同時に足のひらを平坦でそのマッサージコマの外縁に貼ることができるので、そのマッサージユニットを振れて作動することによって、使用者の足部分の腱、筋肉、脈及び足裏に同時に筋肉を伸ばす効果、マッサージの効果を達することができることを特徴とする足マッサージ機。
【請求項２】
請求項１記載の足マッサージ機において、その機械本体の上方に、使用者の両足を平で置ける足置き板が形成され、その伝動構造を下方空間に組立てて、その前方の突出する場所に一つのフロントフレームを突出して設けることで、マッサージユニット をピボットして設けることを特徴とする足マッサージ機。
【請求項３】
請求項１又は請求項２記載の足マッサージ機において、その機械本体の両側の適切な場所に、別に縦で相対する固定フレームを設け、その二つの固定フレームの上方にある板面に、若干の穴を貫通して設け、一つの定位棒をその上に貫通してから、1枚の調整板をピボットして設け、又、使用者の足のひらをその上に置く事ができ、ピボットの穴を交換し、高、低位置を調整し、使用者が状況によって足のひら及びマッサージユニットの間での関係位置を調整することを特徴とする足マッサージ機。
【請求項４】
請求項１記載の足マッサージ機において、その伝動構造は、一つのモーター、伝動パネル、伝動棒 、連結棒及び振れアーム等のパーツで構成され、そのモーターを伝動のパワーであり、その一端が突出する心軸を使って、伝動パネルを固定し、その伝動パネルの適切な場所に少なくとも一つの偏心穴を形成し、伝動棒の一端を固定し、又、その伝動棒の別の端をその連結棒と固定で接続してから、その連結棒の別の端を振れアームに固定し、又、その振れアームをその連結棒と垂直のように組立てる形態を呈し、その上に3セットの接点があり、その中間の接点は、ピボット構造を使ってその機械本体のフロントフレームにピボットして設けてあり、その両端の接点をそれぞれその連結棒及びマッサージユニットに固定して組立てることを特徴とする足マッサージ機。
【請求項５】
請求項１記載の足マッサージ機において、そのマッサージユニットは、一つの長方形のフレーム及び若干のマッサージコマで構成され、マッサージコマがピボット棒を利用してそのフレームの両側での中空内縁を貫通して固定し、そのコマの面をフレームの外縁に突出して設け、又、そのフレームの一側にある外縁の適切な場所に一つ接続板を突出して設け、伝動構造の振れアームの一端を固定で接続し、更に、その接続板の上に若干の行列で配列する接続穴を形成し、その振れアームをフレームと組立てる場合の角度、位置を変換し、そのマッサージユニットが振れる場合の角度を調整することを特徴とする足マッサージ機。
【請求項６】
請求項１記載の足マッサージ機において、その機械本体の上方に設けてある使用者のすねを置く適切な場所に、もう一つの第二マッサージユニットを設け、その第二マッサージユニットは、一つの第二ピボットフレーム及び若干の第二マッサージコマで構成され、その第二マッサージコマは第二ピボット棒を利用して、第二フレームの内縁の中空の場所を貫通して設け、使用者が同時にすねをマッサージする目的を達成することを特徴とする足マッサージ機。
【発明の詳細な説明】
【技術分野】
【０００１】
本発明は足裏マッサージの技術範囲に関するものである。特に、同時に足部分に筋肉を伸ばし、及びすね、足裏をマッサージすることができるマッサージ構造を指すものである。
【背景技術】
【０００２】
人間が生まれてから、体の各部位及び器官がすべて一生の健康に影響するが、人間が成長しながら、人体の手足が多少事故又は運動のために怪我して、又は、使用しすぎるため、疲労性症候群に罹る。特に、両足は上半身の重さを受けるため、長期間に足を使う人にとっては、その負担が非常に高いのである(例えば、よくハイヒールを履く女性又はスポーツ選手)。ハイヒールを履く時、足裏は前の部分が低く後の部分が高くなるので、地面と平に貼ることができないため、アキレス腱がぴんと張るため、弾性、伸度不足等の様子が生じやすいし、足部分の血行にも影響が出る。又、スポーツ選手が運動した後、アキレス腱が同じくピンと張る様子が生じるため、『筋肉を伸ばす』こと、又はマッサージすることによって足部分のアキレス腱を弛めて血行を促進することで、筋肉の弾性を回復、血行及び新陳代謝の機能を発揮させて、筋肉の内部に累積する無用の物質が水分の補助を利用して体外を排出することができる。
【０００３】
従来の技術によって、確実足部分の筋肉を伸ばすことができる。図１の『多段式立つ姿の筋肉を伸ばす調整板』の構造(下記は従来の案を称する)をご参照ください。その従来の案には一つの底板、一つの踏み板、一つのかかとの寄せる板及び一つのサポートフレームを含む。その底板の相対する両側に外部へ突出する回転軸を設けてあるし、その側面に複数個のコンケーブスロットを設けてある。又、その踏み板の一端を底板の回転軸とピボットして接続し、そのサイドに定位穴を設けてあるし、踏み板の下方に複数個のピボット穴を設けてあり、そのかかとを寄せる板を踏み板の上方に設けて定位穴とピボットして設ける。更に、そのサポートフレームを踏み板の下方にあるピボット穴に取り付けるし、そのサポートフレームの別の一端に定位するための突出部を設けて、底板でのいずれかのコンケーブスロットに接触する。又、その相対に接触する底板のコンケーブスロット位置によって、踏み板のきょう角の角度を変更する。使用者がその上に立つ場合、筋肉を伸ばす効果を達することができるが、このような筋肉を伸ばす効果がよくないし、その機能は筋肉を伸ばすだけで、足裏マッサージの機能を持っていない。更に、使用者が立って使用する時、使用しにくいので、まだ改善することが必要である。
【発明の開示】
【発明が解決しようとする課題】
【０００４】
本発明の主要な目的は足マッサージ機を提供するものである。このマッサージ機を使用する場合、足部分に筋肉を伸ばし、及びすね、足裏をマッサージすることができるので、足マッサージ機の使用機能及び実用性を向上することができる。 
【課題を解決するための手段】
【０００５】
請求項１の発明は、足マッサージ機において、一つの機械本体、及び一つの機械本体の下方に設けてある伝動構造、及び一つの機械本体の前方にピボットして設けてあるマッサージユニットを含み、更に、その伝動構造の一端をマッサージユニットと組立て固定し、又、その伝動構造を運転する時、そのマッサージユニットを連動して、予定の角度に振れる動作を行うことで、使用者が座る姿、横になる姿で両足を平で機械本体の上方に置く事ができ、同時に足のひらを平坦でそのマッサージコマの外縁に貼ることができるので、そのマッサージユニットを振れて作動することによって、使用者の足部分の腱、筋肉、脈及び足裏に同時に筋肉を伸ばす効果、マッサージの効果を達することができることを特徴とする足マッサージ機としている。
請求項２の発明は、請求項１記載の足マッサージ機において、その機械本体の上方に、使用者の両足を平で置ける足置き板が形成され、その伝動構造を下方空間に組立てて、その前方の突出する場所に一つのフロントフレームを突出して設けることで、マッサージユニット をピボットして設けることを特徴とする足マッサージ機としている。
請求項３の発明は、請求項１又は請求項２記載の足マッサージ機において、その機械本体の両側の適切な場所に、別に縦で相対する固定フレームを設け、その二つの固定フレームの上方にある板面に、若干の穴を貫通して設け、一つの定位棒をその上に貫通してから、1枚の調整板をピボットして設け、又、使用者の足のひらをその上に置く事ができ、ピボットの穴を交換し、高、低位置を調整し、使用者が状況によって足のひら及びマッサージユニットの間での関係位置を調整することを特徴とする足マッサージ機としている。
請求項４の発明は、請求項１記載の足マッサージ機において、その伝動構造は、一つのモーター、伝動パネル、伝動棒 、連結棒及び振れアーム等のパーツで構成され、そのモーターを伝動のパワーであり、その一端が突出する心軸を使って、伝動パネルを固定し、その伝動パネルの適切な場所に少なくとも一つの偏心穴を形成し、伝動棒の一端を固定し、又、その伝動棒の別の端をその連結棒と固定で接続してから、その連結棒の別の端を振れアームに固定し、又、その振れアームをその連結棒と垂直のように組立てる形態を呈し、その上に3セットの接点があり、その中間の接点は、ピボット構造を使ってその機械本体のフロントフレームにピボットして設けてあり、その両端の接点をそれぞれその連結棒及びマッサージユニットに固定して組立てることを特徴とする足マッサージ機としている。
請求項５の発明は、請求項１記載の足マッサージ機において、そのマッサージユニットは、一つの長方形のフレーム及び若干のマッサージコマで構成され、マッサージコマがピボット棒を利用してそのフレームの両側での中空内縁を貫通して固定し、そのコマの面をフレームの外縁に突出して設け、又、そのフレームの一側にある外縁の適切な場所に一つ接続板を突出して設け、伝動構造の振れアームの一端を固定で接続し、更に、その接続板の上に若干の行列で配列する接続穴を形成し、その振れアームをフレームと組立てる場合の角度、位置を変換し、そのマッサージユニットが振れる場合の角度を調整することを特徴とする足マッサージ機としている。
請求項６の発明は、請求項１記載の足マッサージ機において、その機械本体の上方に設けてある使用者のすねを置く適切な場所に、もう一つの第二マッサージユニットを設け、その第二マッサージユニットは、一つの第二ピボットフレーム及び若干の第二マッサージコマで構成され、その第二マッサージコマは第二ピボット棒を利用して、第二フレームの内縁の中空の場所を貫通して設け、使用者が同時にすねをマッサージする目的を達成することを特徴とする足マッサージ機としている。
【発明の効果】
【０００６】
本発明は機械本体に一つの伝動構造及び少なくとも一つのマッサージユニットを設けることで、その伝動構造の一端をマッサージユニットと組立てて固定する。又、その伝動構造を運転する時、そのマッサージユニットを連動して予定のマッサージ動作を行うことで、使用者の足部分の腱、筋肉、脈及び足裏の反射穴に運動、マッサージの効果を達することができる。
【発明を実施するための最良の形態】
【０００７】
図２〜図６をご参照ください。この発明の『足マッサージ機』に主に一つの機械本体(10)に一つの伝動構造(20)、マッサージユニット(30)及び第二マッサージユニット(40)を含む。
その機械本体(10)は地面に置くことができるフレームである。その上方に、使用者の両足を平で置ける足置き板(11)があり、その足置き板(11)に隣接する両側の適切な場所に、別に縦で相対する固定フレーム(12)を設けてある。その二つの固定フレーム(12)の上方にある板面に、若干の等間隔の隣接する穴(121)を貫通して設けることで、一つの定位棒(61) をその上に貫通してから、一つの調整板(62)をピボットして設けることができる。又、使用者の足のひらをその上に置く事ができ、その背面に定位棒(61) を貫通する定位軸(621)があるので、ピボットの穴(121)を交換することで、高、低位置を調整することができる。又、その機械本体(10) の下方はその伝動構造(20)を取付ける開放空間である。その前方の突出する場所に縦で一つのフロントフレーム(13)を設けることで、マッサージユニット(30) をピボットして設けることができる。又、その足置き板(11) の上縁での適切な場所に中空空間を形成することで(図の中に表示されない)、第二マッサージユニット(40)をその上に組立てることができる。
【０００８】
その伝動構造(20)は、一つのモーター(21)、伝動パネル(22)、伝動棒(23) 、連結棒(24)及び振れアーム(25)等のパーツで構成される。そのモーター(21)を伝動のパワーとして、機械本体(10)の下方に固定で設け、その一端が突出する心軸(211)を使って、伝動パネル(22)を固定することができる。その伝動パネル(22)のパネルの面が円心と離れる適切な場所に少なくとも若干の偏心穴(221)を形成することで、伝動棒(23)の一端を自由に接続することができる。又、その伝動棒(23)の別の端を機械本体(10)の下方に突出して、連結棒(24)と垂直のように自由に接続することができる。更に、その連結棒(24)の別の端を振れアーム(25)に固定する。その振れアーム(25)は、立つ形態でその連結棒(24)と垂直のように組立てて固定する。その上方に若干の接点を設けてあり、その中間の接点は、ピボットユニット(65)を利用して、 機械本体(10)のフロントフレーム(13) にピボットして設ける。又、二つの外端の接点を連結棒(24)及びマッサージユニット(30)と固定で組立てることで、その伝動構造(20)を運転する時、そのマッサージユニット(30)を連動して、予定の角度で振れる動作を行うことができる。  
【０００９】
そのマッサージユニット(30)は、一つの長方形のフレーム(31)及び若干のマッサージコマ(32) で構成される。マッサージコマ(32)がピボット棒(63)を利用して、そのフレーム(31)の両側での中空内縁を貫通して固定することで、そのマッサージコマ(32) が自由に回転することができるし、そのコマの面をフレーム(31)の外縁に突出して設けてある。又、そのフレーム(31)の一側にある外縁の適切な場所に一つ接続板(311)を設けることで、伝動構造(20)の振れアーム(25)の一端を固定で接続することができる。更に、その接続板(311)の上に若干の行列で配列する 接続穴(312)を形成することで、その振れアーム(25)をフレーム(31)と組立てる場合の角度、位置を変換することで、そのマッサージユニット(30)が振れる場合の角度を調整することができる。
【００１０】
その第二マッサージユニット(40)は、一つの第二ピボットフレーム(41)及び若干の第二マッサージコマ(42)で構成される。その第二マッサージコマ(42)は第二ピボット棒(43)を利用して、その第二ピボットフレーム(41)の内縁の中空場所を貫通して組立てることで、使用者のすねをマッサージすることができる。
【００１１】
上述によって、使用者が座る姿、横になる姿で両足を平でその足置き板(11)に置くことで、すねをその可動挟み板及び固定挟み板の間に置いて、足のひらを平坦でそのマッサージコマ(32)の外縁に貼ることができるので、モーター(21)を始動する場合、そのマッサージユニットを振れて作動することによって、使用者の足部分の腱、筋肉、脈及び足裏に筋肉を伸ばす効果、マッサージの効果を達することができる(図６の通り)。又、使用者のすねはその第二マッサージコマ(42)の上に置くので、同時にすねをマッサージする目的も達成することができるため、この発明の使用機能及び実用性を向上することができる。
【００１２】
又、図７をご参照ください。この発明のマッサージユニット(30)の設計は、そのフレーム(31)の最も上縁に設けてあるマッサージコマ(32)を突出してフレーム(31) の外縁に設けて、使用者が両足を高く上げた後、すねをマッサージコマ(32)の上に置いてマッサージを行うことで、すねをマッサージする機能を達成することができる。
【図面の簡単な説明】
【００１３】
【図１】従来の案の使用表示図である。
【図２】本発明の側面組合せの平面表示図である。
【図３】本発明の俯視組合せの平面表示図である。
【図４】本発明の使用実施例の表示図である。
【図５】本発明の別一つの使用形態の実施例表示図である。
【図６】本発明の使用実施例の拡大図である。
【図７】本発明のマッサージユニットの又一つの使用実施例表示図である。
【符号の説明】
【００１４】
(10)  機械本体                 (11)  足置き板
(12)  固定フレーム             (121)  穴
(13)  フロントフレーム         (20)  伝動構造
(21)  モーター                 (211)  心軸
(22)  伝動パネル               (221)  偏心穴
(23)  伝動棒                   (24)  連結棒
(25)  振れアーム               (30)  マッサージユニット
(31)  フレーム                 (311)  接続板
(312)  接続穴                 （32）  マッサージコマ
(40)  第二マッサージユニット   (41)  第二ピボットフレーム
(42)  第二マッサージコマ       (43)  第二ピボット棒
(61)  定位棒                   (62)  調整板
(621)  定位軸                  (63)  ピボット棒
(65)  ピボットユニット
【図１】
2007275420.tif 000003
【図２】
2007275420.tif 000004
【図３】
2007275420.tif 000005
【図４】
2007275420.tif 000006
【図５】
2007275420.tif 000007
【図６】
2007275420.tif 000008
【図７】
2007275420.tif 000009